(57)【要約】  【課題】現代社会に合致した、軽量で自然にやさしいリサイクル植木鉢を正確に・均一にしかも安価に製造することができる植木鉢製造方法を提供するものである。  【解決手段】古紙を利用して植木鉢を製造する植木鉢製造方法にあって、古紙を水処理して繊維を取り出しやすくする古紙水処理工程１と、 古紙の繊維を取り出す撹拌工程２と、古紙の繊維と水を分離させる分離工程３と、紙粘土に仕上げる紙粘土仕上げ工程４と、紙粘土のろくろ成形工程５と、該ろくろ成形工程によってできあがった植木鉢を日影乾燥させて仕上げる乾燥仕上げ工程６と、該乾燥仕上げ工程によってできあがった植木鉢の内面又は内面＆上端部に植物培養液状物を付着させる植物培養液状物付着工程を経て製造する植木鉢製造方法。  【選択図】図１
2009060837.tif 000002
【特許請求の範囲】
【請求項１】
古紙を利用して植木鉢を製造する植木鉢製造方法にあって、古紙を水処理して繊維を取り出しやすくする古紙水処理工程と、水で湿った前記古紙をそのまま撹拌機の中に入れて撹拌して繊維を取り出す撹拌工程と、前記古紙の繊維と水を分離させる分離工程と、紙粘土に仕上げる紙粘土仕上げ工程と、ろくろの型の中に適量の紙粘土を入れてろくろ成形を行うろくろ成形工程と、該ろくろ成形によってできあがった植木鉢を日影乾燥させて仕上げる乾燥仕上げ工程と、該乾燥仕上げ工程によってできあがった植木鉢の内面又は内面＆上端部に植物培養液状物を付着させる植物培養液状物付着工程を経て製造することを特徴とする植木鉢製造方法。
【請求項２】
前記植物培養液状物付着工程において、有機質堆肥と天然ゼオライトと水を混ぜ合わせて得た植物培養液状物を植木鉢の内面又は内面＆上端部に付着させることを特徴とする請求項１記載の植木鉢製造方法。
【発明の詳細な説明】
【技術分野】
【０００１】
本発明は、古新聞等の古紙のリサイクルによる植木鉢製造方法に係るものであり、詳しくは、紙粘土質植木鉢の内周面に植物培養液状物を付着させ、最終的には分解して土に戻る植木鉢の製造方法に関する。
【背景技術】
【０００２】
家庭や企業から排出される新聞、雑誌、チラシ、段ボール及びコピー用紙等の古紙については、リサイクルが困難なため、身近な問題でありながら、これまであまり検討されてきていなかった。ところが、最近になり軽くて使いやすい植木鉢を製造するための古紙繊維の取り出しは、水の利用によって簡単に取り出すことができるようになった。
【特許文献１】実開平４−１９１４５
【特許文献２】特開平５−６８４３５
【発明の開示】
【発明が解決しようとする課題】
【０００３】
しかしながら、古紙は水で分解するだけの素地では、如何に含水量を水分調整しても陶土のような容器の成形に適した性状のものにならず、水分を多くすれば、そのままでは成形の素地としては使用できずに、水分を絞り込めば、粘性の少ない所謂パサパサした状態のものしかならないことから、機械ろくろ装置では古紙のリサイクルは不十分であり、また、製造工程も複雑なものとなり、製造コストも高価となった。
【０００４】
本発明の植木鉢製造方法によれば、紙粘土質により構成され、軽量で自然にやさしい、現代社会に合致したリサイクル植木鉢を提供するものであり、上記問題点を解決し得るものである。
【課題を解決するための手段】
【０００５】
本発明は、古紙を利用して植木鉢を製造する植木鉢製造方法にあって、古紙を水処理して繊維を取り出しやすくする古紙水処理工程と、水で湿った前記古紙をそのまま撹拌機の中に入れて撹拌して繊維を取り出す撹拌工程と、前記古紙の繊維と水を分離させる分離工程と、紙粘土に仕上げる紙粘土仕上げ工程と、ろくろの型の中に適量の紙粘土を入れてろくろ成形を行うろくろ成形工程と、該ろくろ成形によってできあがった植木鉢を日影乾燥させて仕上げる乾燥仕上げ工程と、該乾燥仕上げ工程によってできあがった植木鉢の内面又は内面＆上端部に植物培養液状物を付着させる植物培養液状物付着工程を経て製造する植木鉢製造方法を提供するものである。
【０００６】
また、上記植物培養液状物付着工程において、有機質堆肥と天然ゼオライトと水を混ぜ合わせて得た植物培養液状物を植木鉢の内面又は内面＆上端部に付着させる植木鉢製造方法を提供するものでもある。
【発明の効果】
【０００７】
本発明の植木鉢製造方法によれば、素人の者であっても正確に・均一に製造することができ、また、製造コストも安価になる。さらに、本発明の植木鉢製造方法によって製造された植木鉢は、現代社会に合致したリサイクル植木鉢であり、繊維質を主体とする有機質材料によって形成されているため、使用後の植木鉢は土に戻すことができ、例えば、草花や樹木を鉢植えしたまま広い庭や畑に埋めて、草花や樹木の更なる育成を図ることもでき、廃棄物処理による公害問題を生じないことになる。また、このリサイクル植木鉢は軽量であり、自然にやさしく、植木鉢の外周面に模様を付けて草花や樹木を育てることもでき、ベランダ菜園等に適したものとなる。
【発明を実施するための最良の形態】
【０００８】
本発明は、古紙を水処理して得た紙粘土を圧縮成形してできあがった紙粘土質構造の植木鉢の内周面に植物培養液状物を付着させ、最終的には分解して土に戻すことができる植木鉢の製造方法を提供するものである。
【実施例】
【０００９】
本発明の実施例を図面にしたがって説明する。図１は、本発明の植木鉢製造方法の製造工程流れ図を示すものであり、以下の製造工程を経て、現代社会に合致した紙粘土質のリサイクル植木鉢が製造されることになる。
【００１０】
（１）古紙水処理工程１において、古新聞等の古紙を水処理して繊維を取り出しやすくする。具体的に説明すると次の通りである。
Ａ．古新聞３ｋｇ、バケツに水１５〜２０リットル用意する。インクが多量に使われている大きな文字やカラー印刷の紙面は、分解の妨げになるので除外しておく。また、紙は等質のものでないと分解の仕方に差が出るので注意する。
Ｂ．バケツの中に水をはり、丸めた新聞紙を浸す。その時に水が新聞紙によく浸みるように新聞紙を裂いたり・丸めたりする。
Ｃ．かき混ぜているうちに、細く裂けた新聞紙片に毛ばだちが始まり、新聞紙全体に水が浸みてくる。（１０〜１５分間）
【００１１】
（２）撹拌工程２において、水で湿った古紙をそのまま撹拌機の中に入れて撹拌して繊
維を取り出すことになる。具体的に説明すると次の通りである。
Ａ．バケツの中で十分に湿った新聞紙をそのまま撹拌機の中に入れる。撹拌機の能力は、新聞紙３〜３．５ｋｇ、水１５〜２０リットル位が目安となる。
Ｂ．撹拌中、流れが中心に向かって渦巻状になり、上下の環流が十分であることを確認する。このとき、水量が多すぎると渦巻状に循環しない。また、水量が乏しいと新聞紙片が固まり、空気が入ってしまうことがあるので注意を要する。撹拌が指定の通り行われていると新聞紙片は次第に細かくなり、繊維が観察されるようになる。手ですくい出してみると、分解の様子や繊維の様子が観察できる。（撹拌時間１０〜２０分）
Ｃ．撹拌中は、繊維を手に取り、よく観察する。撹拌機が正常に回っていると、中心に向かって渦巻状の流れが生じ、流れの表面に小さな繊維の塊が現れる。繊維の塊は米粒大から大豆大の大きさに膨らむ。この現象は、繊維が絡み合って固まったものである。手に取り、ピンセットで広げると、繊維の塊であることがわかる。また、液状化した新聞紙を手にすくって絞り、絞ったものを少しずつ広げると、新聞紙片が残っていることがある。この新聞紙片は、インクがまだ水に溶けずに原形をとどめているので、さらに３〜５分間撹拌をすれば、繊維だけの状態になる。
【００１２】
（３）分離工程３において、前記古紙の繊維と水を分離させることになる。具体的に説
明すると次の通りである。
Ａ．水に溶け、液状になった新聞紙をきめの細かい布袋または麻袋にとる。
Ｂ．液状になった新聞紙を遠心分離機又は洗濯機の脱水機にかける。遠心分離機は準備することが難しいので、一般的には脱水機を使用することになる。
Ｃ．３〜５分程度脱水機にかけた新聞紙を手に取り、手で固く絞ると、まだ水滴が出てくるが、洗濯機の脱水機の機能ではどうにもならない。脱水槽の周りに繊維が貼りついたようになっている。
Ｄ．袋から取り出すと大きな塊のようになっているので少しずつ割る。
【００１３】
（４）紙粘土仕上げ工程４において、具体的に説明すると次の通りである。
Ａ．フードプロセッサーで繊維を細かくする。ろくろ引きの成形作業がやりやすくなるようにできるだけ細かくする。
Ｂ．水分が多いようなら広げて自然乾燥し、紙粘土に仕上げる。
【００１４】
（５）ろくろ成形工程５において、ろくろの型の中に適量の紙粘土を入れてろくろ成形を行うことになる。具体的に説明すると次の通りである。
Ａ．ろくろの型の中に適量の紙粘土を入れ、成形作業にとりかかる。
Ｂ．天日乾燥すると、植木鉢に歪みが生じることがあるので注意を要する。
【００１５】
（６）乾燥仕上げ工程６において、前記ろくろ成形工程によってできあがった植木鉢を
日影乾燥させることになる。具体的に説明すると次の通りである。
Ａ．ろくろ成形が終わった植木鉢を型からはずし、日影乾燥させる。
Ｂ．天日乾燥すると植木鉢に歪みが生じることがあるので注意する必要がある。
【００１６】
（７）植物培養液状物付着工程７において、前記乾燥仕上げ工程によってできあがった
紙粘土質構造の植木鉢８の内面又は内面＆上端部に植物培養液状物１０を付着させること
になる。具体的に説明すると次の通りである。
Ａ．有機質堆肥と天然ゼオライトとの混合割合を２〜５（有機質堆肥）対１（天然ゼオライト）とした混合物に水を注いで植物培養液状物１０を作る。天然ゼオライトを混合することにより有機質堆肥の悪臭を消すことができる。
Ｂ．該植物培養液状物１０を前記乾燥仕上げ工程６によってできあがった植木鉢の内面＆上端部に付着させる。
【００１７】
図２は、図１の乾燥仕上げ工程６においてできあがった紙粘土質構造の植木鉢８の斜視
図を示すものであり、このままの紙粘土質構造の植木鉢８の商品化を図ることも可能であ
る。
【００１８】
図３は、本発明の植木鉢製造方法によってできあがった植木鉢９の斜視図を示すもので
あり、図２の紙粘土質構造の植木鉢８の内周＆上端部に植物培養液状物１０を付着させた
ものである。
【００１９】
さらに、上記乾燥仕上げ工程６においてできあがった紙粘土質構造の植木鉢８や上記植
物培養液状物付着工程７においてできあがった本発明の植木鉢９の外周面又は上端部にメ
ッキ処理を施せば、装飾性豊かな植木鉢を製造することも可能である。
【図面の簡単な説明】
【００２０】
【図１】本発明の植木鉢製造方法の製造工程流れ図である。
【図２】乾燥仕上げ工程においてできあがった紙粘土質構造の植木鉢の斜視図である。
【図３】本発明の植木鉢製造方法によってできあがった植木鉢の斜視図である。
【符号の説明】
【００２１】
１    古紙水処理工程
２    撹拌工程
３    分離工程
４    紙粘土仕上げ工程
５    ろくろ成形工程
６    乾燥仕上げ工程
７    植物培養液状物付着工程
８    紙粘土質構造の植木鉢
９    本発明の植木鉢製造方法によってできあがった植木鉢
１０    植物培養液状物
【図１】
2009060837.tif 000003
【図２】
2009060837.tif 000004
【図３】
2009060837.tif 000005